(57)【要約】【課題】強風を受けるなどして軒樋に大きな外力が加わっても脱落させることなく、軒樋を軒先に沿って強固に支持することができるように軒樋支持具を構成する。【解決手段】軒先７に取り付けられる基部２１に支持腕部２２が連なっていてこの支持腕部２２の先端部に軒樋６の前耳部６１に係合する係合部２３が設けられた前耳支持部材２と、前耳支持部材２の支持腕部２２に着脱自在であって端部に軒樋６の後耳部６２に係合する係合部３１が設けられた後耳支持部材３により軒樋支持具１を構成する。【選択図】図２
2019035269.tif 000002
【特許請求の範囲】
【請求項１】
軒先で軒樋を支持する軒樋支持具において、
軒先に取り付けられる基部に支持腕部が連なっていてこの支持腕部の先端部に軒樋の前耳部に係合する係合部が設けられた前耳支持部材と、
前耳支持部材の支持腕部に着脱自在であって端部に軒樋の後耳部に係合する係合部が設けられた後耳支持部材を備えた構成を有することを特徴とする軒樋支持具。
【請求項２】
前耳支持部材に形成された長孔部と後耳支持部材に形成された孔部の重合部を固着具で接続して、前耳支持部材に後耳支持部材が取り付けられた構成を有することを特講とする請求項１に記載の軒樋支持具。
【請求項３】
後耳支持部材に、前耳支持部材の支持腕部が貫通する孔部又は切欠部が設けられた構成を有することを特徴とする請求項１又は２に記載の軒樋支持具。
【請求項４】
前耳支持部材の基部を軒先に固定する固定部材を備えた構成を有することを特徴とする請求項１から３の何れかに記載の軒樋支持具。
【請求項５】
請求項１から４の何れかに記載の軒樋支持具で軒樋を支持する方法であって、
前耳支持部材に後耳支持部材を仮装着した状態で軒先に軒樋支持具を取り付け、
軒樋の前側を持ち上げて前耳部を軒樋支持具の前耳支持部材の先端に被せた後、軒樋の後側を持ち上げて前耳支持部材の係合部に前耳部を係合させ、
次いで前耳支持部材に仮装着していた後耳支持部材を、その係合部が軒樋の後耳部に係合する位置まで変位させ、
軒樋の前後耳部に前耳支持部材と後耳支持部材の係合部をそれぞれ係合させた状態で、後耳支持部材を前耳支持部材に本装着して固定することにより軒樋を軒樋支持具で支持することを特徴とする軒樋の支持方法。
【発明の詳細な説明】
【技術分野】
【０００１】
本発明は、軒樋を軒先で支持する軒樋支持具に関する。
【背景技術】
【０００２】
略々Ｕ字形断面を呈する軒樋を軒先に沿って支持する構造として、図１１に示されるように、軒先１００に取り付けられる固定板部１０１ａから支持腕部１０１ｂを突出させ、支持腕部１０１ｂの先端側に軒樋１０２の前耳部１０２ａに係合する凹状の係合部１０１ｃ、支持腕部１０１ｂの根元側に軒樋１０２の後耳部１０２ｂに係合する凸状の係合部１０１ｄをそれぞれ設けるとともに、係合部１０１ｄと対向する位置の支持腕部１０１ｂの根本部下側に薄肉の舌片１０１ｅを設けた形状の軒樋支持具１０１を用い、軒樋１０２の弾性を利用して係合部１０１ｃ，１０１ｄに前後耳部１０２ａ，１０２ｂを嵌め込み、さらに係合部１０１ｄに嵌め込んだ後耳部１０２ｂに舌片１０１ｅが弾圧接して、支持具１０１に内吊りした軒樋１０２を支持位置に保持する構成のものが知られている（例えば特許文献１参照）。
【先行技術文献】
【特許文献】
【０００３】
【特許文献１】特開２００７−３３２６５３号公報
【発明の開示】
【発明が解決しようとする課題】
【０００４】
前記図示した従来の支持構造は、ともに弾性を有する材料で形成された軒樋支持具１０１と軒樋１０２の弾性効果を利用して軒樋１０２を軒樋支持具１０１に装着し支持させるものであるが、例えば台風の通過に伴って軒先に強風が吹き付けたり冬季に屋根から雪塊が流れ落ちたりするなどして軒樋１０２に極めて大きな外力が加わったときに、前記弾性効果によって軒樋１０２が前後方向に撓んだり舌片１０１ｅの先端が反ったりして前後耳部１０２ａ，１０２ｂが係合部１０１ｃ、１０１ｄから外れ、軒樋１０２が軒樋支持具１０１から脱落する可能性があった。
【０００５】
この場合、軒樋１０２の剛性を高めることで外力が加わったときの変形の発生を防止できるが、反面、弾性が少ないと軒樋支持具１０１への装着がし難くなって取り付け操作に手間を要することとなる。また、軒樋支持具１０１の舌片１０１ｅは弾性を付与するために薄肉に設ける必要があるが、軒樋支持具１０１を樹脂成形する場合、略同じく肉厚の周辺の部位に対して舌片１０１ｅが極めて薄肉なため、樹脂の充填不良を引き起こしやすいという問題があった。
【０００６】
本発明は従来の技術が有するこのような問題点に鑑み、簡単な操作で軒樋を取り付けることができるとともに、強風を受けたり雪塊が流れ落ちたりするなどして軒樋に大きな外力が加わっても脱落させることなく、軒樋を強固に支持することができるようにすることを課題とする。
【課題を解決するための手段】
【０００７】
前記課題を解決するため本発明は、軒先で軒樋を支持する軒樋支持具において、
軒先に取り付けられる基部に支持腕部が連なっていてこの支持腕部の先端部に軒樋の前耳部に係合する係合部が設けられた前耳支持部材と、
前耳支持部材の支持腕部に着脱自在であって端部に軒樋の後耳部に係合する係合部が設けられた後耳支持部材を備えた構成を有することを特徴とする。
【０００８】
前記構成の軒樋支持具を用いて軒樋を取り付ける操作は、以下の手順で行うことができる。
先ず、前耳支持部材に後耳支持部材を仮装着した状態で軒先に軒樋支持具を取り付ける。
次いで、取り付けられた軒樋支持具の下方で軒樋を支持しながら、軒樋の前側を持ち上げて前耳部を軒樋支持具の前耳支持部材の先端に被せた後、軒樋の後側を持ち上げて前耳支持部材の係合部に前耳部に係合させる。
さらに、前耳支持部材に仮装着していた後耳支持部材を、その係合部が軒樋の後耳部に係合する位置まで変位させて、軒樋の前後耳部に前耳支持部材と後耳支持部材の係合部をそれぞれ係合させる。
そして、軒樋の前後耳部が前耳支持部材と後耳支持部材の係合部にそれぞれ係合した状態で、後耳支持部材を前耳支持部材に本装着して固定することで、軒樋支持具に軒樋を取り付ける操作が完了する。
【０００９】
これによれば、軒樋支持具は軒先に取り付けられる前耳支持部材と、この前耳支持部材に着脱自在な後耳支持部材により構成され、後耳支持部材が仮装着された前耳支持部材を軒先に取り付けた状態で、その下方から軒樋をあてがいながら前耳部を前耳支持部材の係合部に係合し、次いで後耳部を後耳支持部材の係合部に係合することで、軒樋を軒樋支持部材に支持させることができる。
軒樋の後耳部を後耳支持部材の係合部に係合させる操作は、前耳支持部材に仮装着した後耳支持部材をその係合部が後耳部に係合する位置まで変位させることにより行われ、従来の如く、前後耳部間が広がる方向に軒樋を弾性変形させる操作は不要であり、剛性が高く、弾性変形し難い軒樋を使用することができる。また、軒樋支持具を構成する部材も弾性変形する部位は不要である。
前記構成の軒樋支持具で高剛性の軒樋を強固に取り付けることができるので、強風を受けたり雪塊が流れ落ちたりするなどして軒樋に大きな外力が加わっても軒樋が脱落する危険は極めて小さく、軒に沿って軒樋を確実且つ安定的に支持することが可能である。
【００１０】
前記構成の軒樋支持具において、前耳支持部材に後耳支持部材を着脱自在に取り付ける手段としては、例えば前耳支持部材と後耳支持部材に孔部をそれぞれ形成しておき、両部材を上下に重ね、重なり合った孔部をボルトナットなどの固着具で接続することで前耳支持部材に後耳支持部材を一体に装着し、固着具を取り外すことで前耳支持部材から後耳支持部材が分離する手段を用いることができる。
【００１１】
また、前耳支持部材に装着した後耳支持部材をその係合部が軒樋の後耳部に係合する位置まで変位させる手段としては、例えば、前耳支持部材の支持腕部に当該支持腕部の長手方向に沿った長孔部を形成し、この長孔部に後耳支持部材に形成された孔部を重ね合わせ、固着具を介して両部材を接続する手段を用いることができる。
この場合、軒先に取り付けられる前耳支持部材に対して長孔部の軒先側、つまり長孔部内の前端に後耳支持部材を仮装着しておき、軒樋の前耳部を前耳支持部材の係合部に係合させた後、仮装着された前記後耳支持部材を長孔部に沿って棟側、つまり長孔部内の後端側に装着位置をスライドさせることで、後耳支持部材の係合部が軒樋の後耳部に係合する位置まで変位し、軒樋の前後耳部に前耳支持部材と後耳支持部材の係合部がそれぞれ係合した位置で後耳支持部材を固着具で本装着することで軒樋を軒樋支持具に支持させる操作が完了する。
或いは、他の変位手段として、例えば、前記の通り孔部が形成された前耳支持部材と後耳支持部材を上下に重ねて固着具で接続する際に、この接続部を支点に前耳支持部材に対して後耳支持部材が回転変位し得るように仮装着しておき、軒樋の前耳部を前耳支持部材の係合部に係合させた後、仮装着された後耳支持部材を回転させることで、後耳支持部材の係合部が軒樋の後耳部に係合する位置まで変位する手段を用いることができる。この場合も、前記と同様に、軒樋の前後耳部が両支持部材の係合部にそれぞれ係合した位置で後耳支持部材を固着具で本装着して係合位置に固定することで軒樋の取り付けが完了する。
【００１２】
前耳支持部材に形成された長孔部に沿って後耳支持部材がスライドし得るように構成する場合、後耳支持部材に前耳支持部材の基部と支持腕部が貫通する孔部又は切欠部が設けてあれば、この孔部又は切欠部に支持腕部を通すことで前耳支持部材の上面に後耳支持部材を重ねて取り付けることができるとともに、後耳支持部材を長孔部に沿って変位操作する際に、前耳支持部材の支持腕部の両側に孔部又は切欠部の内周面を当接させながら、前記支持腕部に沿って真っすぐにスライド移動させることができる。また、後耳支持部材の係合部を軒樋の後耳部に係合した後、後耳支持部材を変位位置に固定するためボルトなどの固着具を締め付ける際に回転する固着具の押圧力を受けて後耳支持部材に回転する力が作用しても、前記孔部又は切欠部の内周面が前耳支持部材の支持腕部の側面に係合するため、後耳支持部材は回転することなく、その係合部を軒樋の後耳部に係合させた状態を保持し、後耳支持部材を適正な取り付け位置に固定することができる。
【００１３】
前記構成の軒樋支持具において、前耳支持部材はその基部を留めネジなどの固着具で留め付けるなどして軒先に取り付けることがき、また、これとは別体に形成された平板状の固定部材を用い、軒先に固定部材を留め付け、これに基部を係止させることにより、前耳支持部材が軒先に取り付けられるように構成してもよい。前耳支持部材の基部と固定部材を一体に設けてよい。
【００１４】
軒樋支持具を構成する前耳支持部材、後支持耳部材及び固定部材の各部材は、耐蝕性に優れた鋼板を折り曲げて形成することができる。また、例えばポリカーボネート、塩化ビニル、ポリプロピレンなどの合成樹脂材料を用い、射出成形などによって形成することができる。
本発明の軒樋支持具は、例えば、断面略Ｕ字形を呈して長尺に形成され、その前側上端に壁面上縁を内側へ鍵状に屈曲させてなる前耳部、後側上端に壁面上縁を内側へ多角筒形に折り返して樋内方へ張り出させてなる後耳部をそれぞれ設けた形状の軒樋の支持に用いることが可能である。
軒樋の素材や、弾性を有するか否かは問わない。本発明の軒樋支持具を用いれば、弾性が小さく、高い剛性を有する軒樋であっても、取り付け操作の際に弾性変形させることなく、軒先に強固に取り付けることが可能である。
【図面の簡単な説明】
【００１５】
【図１】本発明の一実施形態の軒樋支持具の下方側の外観図である。
【図２】図１の軒樋支持具の部材を展開して示した外観図である。
【図３】図１の軒樋支持具における後耳支持部材が仮装着位置にあるときの上方側の外観図である。
【図４】図１の軒樋支持具における後耳支持部材が本装着位置にあるときの上方側の外観図である。
【図５】（Ａ），（Ｂ）及び（Ｃ）は図１の軒樋支持具で軒樋を支持させる操作工程を説明するための図である。
【図６】本発明の他の実施形態の軒樋支持具の下方側の外観図である。
【図７】本発明のさらに他の実施形態の軒樋支持具の側面図である。
【図８】図７の軒樋支持具で軒樋を支持した状態を示す外観図である。
【図９】本発明のまたさらに他の実施形態の軒樋支持具の平面図（Ａ）と側面図（Ｂ）である。
【図１０】図９の軒樋支持具で軒樋を支持した状態を示す外観図である。
【図１１】従来の軒樋支持具で軒樋を支持した状態を示す外観図である。
【発明を実施するための形態】
【００１６】
以下、本発明の好適な実施の形態を、図面を参照して説明する。
図１は本発明の一実施形態の軒樋支持具の下方側外観、図２は部材を展開した状態の外観をそれぞれ示しており、図示されるように、この軒樋支持具１は、鋼板を折り曲げて形成された、軒樋６の前耳部６１が係合する係合部２３を前端に備えた前耳支持部材２、軒樋６の後耳部６２が係合する係合部３１を備えた後耳支持部材３、及び前耳支持部材２を軒先７に取り付けるための固定部材４と、後耳支持部材３を前耳支持部材２に一体に接続する固着具であるボルト５ａとナット５ｂにより構成してある。
【００１７】
詳しくは、前耳支持部材２は、帯状の鋼板を折り曲げ加工してなり、その一側の端部であって軒先７の表面に沿って取り付けられる基部２１の上端に、当該基部２１の前方へ屈曲して下方傾斜した傾斜面に前記基部２１に対して略直交した平坦面を延伸させてなる支持腕部２２を連ね、この支持腕部２２の前記平坦面の先端部に上方へ略コ字形に屈曲していて軒樋６の前耳部６１に係合する係合部２３を設けて形成してある。
支持腕部２２の平坦面には、その前後長手方向に延びた長孔部２４を形成してある。
【００１８】
後耳支持部材３は、前耳支持部材２よりも幅広の帯状鋼板を折り曲げ加工して、傾斜面の両側に平坦面を略平行に連ねた平面視略々Ｓ字形を呈する形状に設けられ、その一側の平坦面の端部に軒樋６の後耳部６２に係合する係合部３１を設け、この平坦面から下方傾斜した傾斜面を介して連なる他側の平坦面内に孔部３２を設けるとともに、前記一側の平坦面から傾斜面内に亘って前耳支持部材２の基部２１及び支持腕部２２が貫通する大きさの矩形状の孔部３３を設けて形成してある。
前記孔部３３が形成された側の平坦面は支持腕部２２と略同じ幅に形成してあり、また、この平坦面に対する傾斜面の傾斜角度は、前記支持腕部２２の平坦面に対する傾斜面の傾斜角度と同じに設定してある。
【００１９】
固定部材４は、横長矩形状の鋼板の中央に前耳支持部材２の基部２１が面一に接合する幅で縦長に凹ませた凹部４１を設け、凹部４１の両側面に留めネジなどの固着具が挿通する孔部４２，４２を設けて形成してある。
【００２０】
これら各部材により構成される本形態の軒樋支持具１は、図３に示されるように、後耳支持部材３の孔部３３に前耳支持部材２の基部２１及び支持腕部２２を通して、後耳支持部材３を前耳支持部材２の支持腕部２２の平坦面上に重ね合わせ、上下に重なった後耳支持部材３の孔部３２と前耳支持部材２の長孔部２４に通したボルト５ａの軸部にナット５ｂを螺合することで、前耳支持部材２の上面に装着した後耳支持部材３が一体に接続される。
そして、ボルト５ａに螺合したナット５ｂを緩めた状態で、後耳支持部材３を前耳支持部材２の支持腕部２２の上面に重ねたまま長孔部２４に沿って前後にスライド移動させることができ、図４に示されるように、後耳支持部材３を長孔部２４に沿って後方へ、つまり基部２１側へ移動させることでその係合部３１が、軒樋６を取り付けた際に後耳部６２に係合する位置まで変位せしめられるようになっている。
【００２１】
本形態の軒樋支持具１を用いて軒樋６を支持させる操作を、図５を参照して説明する。なお、軒先７には軒樋６の長さに応じて複数の軒樋支持具１が所定の間隔を空けて取り付けられるが、同図では軒先７に取り付けられた一つの軒樋支持具１に軒樋６を支持する態様を示し、他の軒樋支持具１の図示は省略する。
【００２２】
軒樋支持具１の工場出荷前に、予め、固定部材４の凹溝４１内に前耳支持部材２の基部２１を嵌め込み、重なり合った部分をリベットなどによりカシメ加工して、固定部材４に前耳支持部材２を一体に固定する。また、前記図３に示されるように、後耳支持部材３の孔部３３に前耳支持部材２を通して、後耳支持部材３を前耳支持部材２の上面に重ね合わせ、上下に重なった両部材の孔部２４，３２にボルト５ａを通し、その軸部にナット５ｂを緩く螺合して前耳支持部材２に後耳支持部材３を仮装着しておき、この状態で軒樋支持具１を施工現場に搬入する。このとき、後耳支持部材３の仮装着位置は、前耳支持部材２の長孔部２４の前側端部に設定しておく。
【００２３】
施工現場において、先ず、軒先７の外面に軒樋支持具１の固定部材４を配置し、その孔部４２，４２から軒先７の外面に釘などの固着具を打ち込み、軒樋支持具１を軒先７に固定する。
【００２４】
次いで、図５（Ａ）に示されるように、軒先７に取り付けられた軒樋支持具１の下方で軒樋６を支持しながら、軒樋６の前側を持ち上げて前耳部６１を前耳支持部材２の先端に被せた後、同図（Ｂ）に示されるように、軒樋６の後側を持ち上げて前耳支持部材２の係合部２３に前耳部６１を係合させる。
【００２５】
さらに、前耳支持部材２に仮装着した後耳支持部材３を長孔部２４に沿って後方へスライド移動させて、同図（Ｃ）に示されるように、その係合部３１が軒樋６の後耳部６２に係合する位置まで変位させ、軒樋６の前後耳部６１，６２に前耳支持部材２と後耳支持部材３の係合部２３，３１をそれぞれ係合させる。
【００２６】
そして、軒樋６の前後耳部６１，６２が前記両支持部材の係合部２３，３１にそれぞれ係合した状態で、ボルト５ａに緩く螺合していたナット５ｂを締め付けて、当該係合位置で後耳支持部材３を前耳支持部材２に本装着して固定することで、軒樋支持具１に軒樋６を取り付け支持させる操作が完了する。
【００２７】
これによれば、軒樋６の前耳部６１が前耳支持部材２の先端に引っ掛けることで係合部２３に係合し、後耳部６２が後耳支持部材３を前耳支持部材２上で後方へスライド移動させることで係合部３１に係合して軒樋支持具１に軒樋６を支持させることができるので、従来の軒樋の如く、前後耳部間が広がる方向に弾性変形させる操作は不要であり、剛性が高く、弾性変形し難い軒樋６を軒先７に取り付けることが可能である。軒樋支持具１を構成する部材も弾性変形する部位は不要である。
軒樋支持具１で高剛性の軒樋６を強固に取り付けることができるので、強風を受けたり雪塊が流れ落ちたりするなどして軒樋６に大きな外力が加わっても軒樋６が軒先７から脱落する危険は極めて小さく、軒に沿って軒樋６を確実且つ安定的に支持することが可能である。
【００２８】
また、後耳支持部材３に形成された孔部３３に前耳支持部材２の基部２１と支持腕部２２が貫通させて前耳支持部材２の上面に後耳支持部材３を装着してあるので、後耳支持部材３を仮装着及び本装着する操作をその上方から行うことができ、また、後耳支持部材３を変位操作する際に、孔部３３の内周面が前耳支持部材２の支持腕部２２の両側に係合することで左右方向の可動領域が制限され、後耳支持部材３を支持腕部２２に沿って真っすぐにスライド移動させることができるとともに、後耳支持部材を変位位置に固定するためナット５ｂを締め付ける際に後耳支持部材３を回転させることなく、適正な取り付け位置に固定することができる。
【００２９】
図６は軒樋支持具１の他の実施形態を示し、これは、前記形態の軒樋支持具１の後耳支持部材３に設けた孔部３３に代えて切欠部３４を設け、この切欠部３４に前耳支持部材２の基部２１と支持腕部２２を貫通させて、後耳支持部材３を前耳支持部材２の上面に取り付けたものである。このように孔部３３に代えて切欠部３４を後耳支持部材３に設けても、前記形態と同様な機能を奏することが可能である。
【００３０】
図７は軒樋支持具１のさらに他の実施形態を示し、これは、後耳支持部材３に孔部３３や切欠部３４を設けず、前耳支持部材２の下面に後耳支持部材３を重ねて一体に取り付けたものである。前耳支持部材２の支持腕部２２に長孔部２４、後耳支持部材３に孔部３２が形成され、上下に重なった両孔部にボルト５ａを通し、その軸部にナット５ｂを螺合して、後耳支持部材３が前耳支持部材２に長孔部２４に沿って前後方向にスライド移動自在に装着されていることは前記形態と同様である。
本形態の軒樋支持具１においても、前記形態と同様に、軒先７に取り付けた固定部材４に後耳支持部材３が仮装着された前耳支持部材２を取り付け、前耳支持部材２の係合部２３に軒樋６の前耳部６１を係合させ、次いで、図８に示されるように、後耳支持部材３を後方へスライド移動させて、その係合部３１を軒樋６の後耳部６２に係合する位置まで変位させ、前後耳部６１，６２が両支持部材の係合部２３，３１に係合した状態でナット５ｂを締め付けて後耳支持部材３を前耳支持部材２に固定することにより、軒樋６を軒樋支持具１で強固に支持することが可能である。
【００３１】
図９は軒樋支持具１のまたさらに他の実施形態を示し、これは、孔部が形成された前耳支持部材２の下部に、同じく孔部が形成された後耳支持部材３を重ね、上下に重なった前記両孔部にボルト５ａを通し、その軸部にナット５ｂを螺合して前耳支持部材２に後耳支持部材３を取り付けるともに、前記ボルトナット５ａ，５ｂによる接続部を支点として、後耳支持部材３が前耳支持部材２に対して回転変位し得るように設けたものである。なお、同図は後耳支持部材３を前耳支持部材２の前後方向に対して略直交する向きに配置して仮装着した状態を示している。
【００３２】
本形態の軒樋支持具１によれば、図９に示された、後耳支持部材３が仮装着された前耳支持部材２を、固定部材４を介して軒先７に取り付けた後、軒樋６の前耳部６１を前耳支持部材２の係合部２３に係合させた状態で、図１０に示されるように、仮装着された後耳支持部材３を、前記接続部を支点に回転してその係合部３１が軒樋６の後耳部６２に係合するまで変位させる。そして、前後耳部６１，６２が両支持部材の係合部２３，３１に係合した状態でナット５ｂを締め付けて後耳支持部材３を前耳支持部材２に固定することにより、前記各形態と同様に、軒樋６を軒樋支持具１で強固に支持することが可能である。
【００３３】
なお、図示した各形態は、軒樋支持具１の実施形態を例示したものであり、本発明はこれらに限定されず、他の適宜な形態に構成することが可能である。前耳支持部材２と後耳支持部材３の全体の形状、両部材の係合部２３，３１の形状は、支持する軒樋６の全体の形状や前後耳部６１，６２の形状などに応じて適宜な形状にも設けることが可能である。前耳支持部材２に後耳支持部材３を仮装着及び本装着するために用いられる固着具も、ボルトナット５ａ，５ｂの他に適宜な形態のものを用いることが可能である。
【符号の説明】
【００３４】
１  軒樋支持具、２  前耳支持部材、２１  基部、２２  支持腕部、２３  係合部、２４  長孔部、３  後耳支持部、３１  係合部、３２  孔部、３３  孔部、３４  切欠部、４  固定部材、４１  凹部、４２  孔部、５ａ  ボルト、５ｂ  ナット、６  軒樋、６１  前耳部、６２  後耳部、７  軒先
【図１】
2019035269.tif 000003
【図２】
2019035269.tif 000004
【図３】
2019035269.tif 000005
【図４】
2019035269.tif 000006
【図５】
2019035269.tif 000007
【図６】
2019035269.tif 000008
【図７】
2019035269.tif 000009
【図８】
2019035269.tif 000010
【図９】
2019035269.tif 000011
【図１０】
2019035269.tif 000012
【図１１】
2019035269.tif 000013